(57)【要約】【課題】安定した画質のプリントが得られるデジタルカメラ、プリンタ及びプリントシステムを提供する。【解決手段】デジタルカメラ１０で撮影する際、実際の絞り値とシャッタースピードを計測し、画像データに付加してメモリカードに記録する。プリンタ２００でプリントする際は、画像データに付加された絞り値とシャッタースピードの実測値データを利用して、露出値の設定値と実測値とのズレ量を求め、ズレ量に応じてプリントデータを生成するための画像処理条件を補正する。【選択図】      図１
2006054634.tif 000002
【特許請求の範囲】
【請求項１】
設定された撮影条件に従って画像を撮像し、得られた画像データを記憶メディアに記録するデジタルカメラにおいて、
実際の撮影条件を測定する測定手段と、
撮影により得られた画像データに前記撮影条件の設定値データと実測値データとを付加して前記記憶メディアに記録する記録制御手段と、
を備えたことを特徴とするデジタルカメラ。
【請求項２】
設定された撮影条件に従って画像を撮像し、得られた画像データを記憶メディアに記録するデジタルカメラにおいて、
実際の撮影条件を測定する測定手段と、
設定された撮影条件と前記測定手段で測定された実際の撮影条件との差分を算出する差分演算手段と、
撮影により得られた画像データに前記撮影条件の設定値データと前記差分演算手段で算出された差分データとを付加して前記記憶メディアに記録する記録制御手段と、
を備えたことを特徴とするデジタルカメラ。
【請求項３】
前記撮影条件は、絞り値とシャッタースピードであることを特徴とする請求項１又は２に記載のデジタルカメラ。
【請求項４】
画像を撮像素子で撮像し、得られた画像データを記憶メディアに記録するデジタルカメラにおいて、
前記撮像素子の受光と時間が等価である位置に設置された受光素子と、
撮影によって前記受光素子で受光された光量を検出する検出手段と、
撮影によって前記検出手段で検出された光量と、あらかじめ設定された基準光量との差分を算出する演算手段と、
撮影により得られた画像データに前記演算手段で算出された差分データを付加して前記記憶メディアに記録する記録制御手段と、
を備えたことを特徴とするデジタルカメラ。
【請求項５】
プリントする画像データに付加された撮影条件の設定値データを解析して、最適なプリントを得るための画像処理条件を求め、求めた画像処理条件に従って前記画像データを画像処理し、プリントするプリンタにおいて、
プリントする画像データに撮影条件の設定値データと実測値データとが付加されている場合に、該撮影条件の設定値と実測値との差分を算出する差分演算手段と、
撮影条件の設定値と実測値との差分に応じた画像処理条件の補正データが格納された補正データ記憶手段と、
前記差分演算手段で算出された差分と前記補正データ記憶手段に格納された補正データとに基づいて画像処理条件を補正する補正手段と、
を備えたことを特徴とするプリンタ。
【請求項６】
プリントする画像データに付加された撮影条件の設定値データを解析して、最適なプリントを得るための画像処理条件を求め、求めた画像処理条件に従って前記画像データを画像処理し、プリントするプリンタにおいて、
撮影条件の設定値と実測値との差分に応じた画像処理条件の補正データが格納された補正データ記憶手段と、
プリントする画像データに撮影条件の設定値データと、撮影条件の設定値と実測値との差分データとが付加されている場合に、その差分データと前記補正データ記憶手段に格納された補正データとに基づいて画像処理条件を補正する補正手段と、
を備えたことを特徴とするプリンタ。
【請求項７】
前記撮影条件は、絞り値とシャッタースピードであることを特徴とする請求項５又は６に記載のプリンタ。
【請求項８】
プリントする画像データに付加された撮影条件の設定値データを解析して、最適なプリントを得るための画像処理条件を求め、求めた画像処理条件に従って前記画像データを画像処理し、プリントするプリンタにおいて、
基準光量との差分に応じた画像処理条件の補正データが格納された補正データ記憶手段と、
プリントする画像データに基準光量との差分データが付加されている場合に、その基準光量との差分データと前記補正データ記憶手段に格納された補正データとに基づいて画像処理条件を補正する補正手段と、
を備えたことを特徴とするプリンタ。
【請求項９】
設定された撮影条件に従って画像を撮像し、得られた画像データを記憶メディアに記録するデジタルカメラと、前記記憶メディアに格納された画像データを読み出し、該画像データに付加された撮影条件の設定値データを解析して、最適なプリントを得るための画像処理条件を求め、求めた画像処理条件に従って前記画像データを画像処理し、プリントするプリンタにおいて、
前記デジタルカメラは、
実際の撮影条件を測定する測定手段と、
撮影により得られた画像データに前記撮影条件の設定値データと実測値データとを付加して前記記憶メディアに記録する記録制御手段と、
を備え、
前記プリンタは、
プリントする画像データに付加されている撮影条件の設定値データと実測値データとに基づいて撮影条件の設定値と実測値との差分を算出する差分演算手段と、
撮影条件の設定値と実測値との差分に応じた画像処理条件の補正データが格納された補正データ記憶手段と、
前記差分演算手段で算出された差分と前記補正データ記憶手段に格納された補正データとに基づいて画像処理条件を補正する補正手段と、
を備えたことを特徴とするプリントシステム。
【請求項１０】
設定された撮影条件に従って画像を撮像し、得られた画像データを記憶メディアに記録するデジタルカメラと、前記記憶メディアに格納された画像データを読み出し、該画像データに付加された撮影条件の設定値データを解析して、最適なプリントを得るための画像処理条件を求め、求めた画像処理条件に従って前記画像データを画像処理し、プリントするプリンタにおいて、
前記デジタルカメラは、
実際の撮影条件を測定する測定手段と、
設定された撮影条件と前記測定手段で測定された実際の撮影条件との差分を算出する差分演算手段と、
撮影により得られた画像データに前記撮影条件の設定値データと前記差分演算手段で算出された差分データとを付加して前記記憶メディアに記録する記録制御手段と、
を備え、
前記プリンタは、
基準光量との差分に応じた画像処理条件の補正データが格納された補正データ記憶手段と、
プリントする画像データに付加された差分データと前記補正データ記憶手段に格納された補正データとに基づいて画像処理条件を補正する補正手段と、
を備えたことを特徴とするプリントシステム。
【請求項１１】
前記撮影条件は、絞り値とシャッタースピードであることを特徴とする請求項９又は１０に記載のプリントシステム。
【請求項１２】
画像を撮像素子で撮像し、得られた画像データを記憶メディアに記録するデジタルカメラと、前記記憶メディアに格納された画像データを読み出し、該画像データに付加された撮影条件の設定値データを解析して、最適なプリントを得るための画像処理条件を求め、求めた画像処理条件に従って前記画像データを画像処理し、プリントするプリンタにおいて、
前記デジタルカメラは、
前記撮像素子の受光と時間が等価である位置に設置された受光素子と、
撮影によって前記受光素子で受光された光量を検出する検出手段と、
撮影によって前記検出手段で検出された光量と、あらかじめ設定された基準光量との差分を算出する演算手段と、
撮影により得られた画像データに前記演算手段で算出された差分データを付加して前記記憶メディアに記録する記録制御手段と、
を備え、
前記プリンタは、
基準光量との差分に応じた画像処理条件の補正データが格納された補正データ記憶手段と、
プリントする画像データに基準光量との差分データが付加されている場合に、その基準光量との差分データと前記補正データ記憶手段に格納された補正データとに基づいて画像処理条件を補正する補正手段と、
を備えたことを特徴とするプリントシステム。
【発明の詳細な説明】
【技術分野】
【０００１】
本発明はデジタルカメラ、プリンタ及びプリントシステムに係り、特に撮影条件を元にプリントを最適化するデジタルカメラ、プリンタ及びプリントシステムに関する。
【背景技術】
【０００２】
現在、一般に流通しているデジタルカメラの多くは、撮影した画像データをＥｘｉｆ（Exchangeable image file format）の規格に従った画像ファイルとして記憶メディアに記憶している。Ｅｘｉｆでは、画像ファイルの中に撮影時のカメラ情報（たとえば、撮影された日時や機種名、シャッタースピード、絞り値の設定といった撮影に関する情報と、主画像のデータを正しく読み取るための圧縮モード、色空間、画素数などの情報）を記述することができるようにされており、このカメラ情報を読み取ってプリントを最適化する技術も種々提案されている（たとえば、特許文献１〜３参照）。
【特許文献１】特開２００２−３１５０１９号公報
【特許文献２】特開２００２−２３８０１３号公報
【特許文献３】特開２００４−３２５４３号公報
【発明の開示】
【発明が解決しようとする課題】
【０００３】
ところで、シャッター機構にメカシャッターを用いたデジタルカメラの場合、必ずしも設定したシャッタースピードでシャッターが切られるとは限らず、経年劣化などにより、設定したシャッタースピードに対して若干ずれが生じて撮影されている場合もある。絞りも同様であり、設定した絞り値に対して若干ずれが生じて撮影されている場合もある。
【０００４】
しかしながら、従来のプリントシステムでは、シャッタースピード等の設定値の情報を読み取ってプリントを最適化しているため、実際のシャッタースピード等が設定値からずれている場合などに、誤った基準に基づいてプリントを最適化してしまい、安定した画質のプリントを得ることができないという欠点があった。
【０００５】
本発明はこのような事情に鑑みてなされたもので、安定した画質のプリントが得られるデジタルカメラ、プリンタ及びプリントシステムを提供することを目的とする。
【課題を解決するための手段】
【０００６】
請求項１にかかる発明は、前記目的を達成するために、設定された撮影条件に従って画像を撮像し、得られた画像データを記憶メディアに記録するデジタルカメラにおいて、実際の撮影条件を測定する測定手段と、撮影により得られた画像データに前記撮影条件の設定値データと実測値データとを付加して前記記憶メディアに記録する記録制御手段と、を備えたことを特徴とするデジタルカメラを提供する。
【０００７】
本発明によれば、実際の撮影条件を測定する測定手段が備えられており、撮影が行われると、その撮影により得られた画像データに撮影条件の設定値データと実測値データとが付加されて記憶メディアに記録される。
【０００８】
また、請求項２に係る発明は、前記目的を達成するために、設定された撮影条件に従って画像を撮像し、得られた画像データを記憶メディアに記録するデジタルカメラにおいて、実際の撮影条件を測定する測定手段と、設定された撮影条件と前記測定手段で測定された実際の撮影条件との差分を算出する差分演算手段と、撮影により得られた画像データに前記撮影条件の設定値データと前記差分演算手段で算出された差分データとを付加して前記記憶メディアに記録する記録制御手段と、を備えたことを特徴とするデジタルカメラを提供する。
【０００９】
本発明によれば、実際の撮影条件を測定する測定手段が備えられており、撮影が行われると、実際の撮影条件と設定された撮影条件との差分が差分演算手段で算出される。そして、算出された差分データと、撮影条件の設定データが、撮影により得られた画像データに付加されて記憶メディアに記録される。
【００１０】
また、請求項３に係る発明は、前記目的を達成するために、前記撮影条件は、絞り値とシャッタースピードであることを特徴とする請求項１又は２に記載のデジタルカメラを提供する。
【００１１】
本発明によれば、実際の絞り値とシャッタースピードが測定手段によって測定される。そして、撮影された画像データには、絞り値とシャッタースピードの設定値データと実測値データとが付加される。
【００１２】
また、請求項４に係る発明は、前記目的を達成するために、画像を撮像素子で撮像し、得られた画像データを記憶メディアに記録するデジタルカメラにおいて、前記撮像素子の受光と時間が等価である位置に設置された受光素子と、撮影によって前記受光素子で受光された光量を検出する検出手段と、撮影によって前記検出手段で検出された光量と、あらかじめ設定された基準光量との差分を算出する演算手段と、撮影により得られた画像データに前記演算手段で算出された差分データを付加して前記記憶メディアに記録する記録制御手段と、を備えたことを特徴とするデジタルカメラを提供する。
【００１３】
本発明によれば、撮像素子の受光と時間が等価である位置に受光素子が設置され、撮影によって受光素子で受光される光量が検出手段で検出される。そして、その撮影によって受光素子で受光された光量と、あらかじめ設定された基準光量との差分が演算手段で算出され、撮影により得られた画像データに付加されて記憶メディアに記録される。
【００１４】
また、請求項５に係る発明は、前記目的を達成するために、プリントする画像データに付加された撮影条件の設定値データを解析して、最適なプリントを得るための画像処理条件を求め、求めた画像処理条件に従って前記画像データを画像処理し、プリントするプリンタにおいて、プリントする画像データに撮影条件の設定値データと実測値データとが付加されている場合に、該撮影条件の設定値と実測値との差分を算出する差分演算手段と、撮影条件の設定値と実測値との差分に応じた画像処理条件の補正データが格納された補正データ記憶手段と、前記差分演算手段で算出された差分と前記補正データ記憶手段に格納された補正データとに基づいて画像処理条件を補正する補正手段と、を備えたことを特徴とするプリンタを提供する。
【００１５】
本発明によれば、プリントする画像データに撮影条件の設定値データと実測値データとが付加されている場合、その撮影条件の設定値と実測値との差分に応じて画像処理条件が補正され、その補正された画像処理条件に従ってプリントする画像データが画像処理される。これにより、撮影条件の設定値と実測値との間にズレが生じている場合であっても、プリントの画質を安定させることができる。
【００１６】
また、請求項６に係る発明は、前記目的を達成するために、プリントする画像データに付加された撮影条件の設定値データを解析して、最適なプリントを得るための画像処理条件を求め、求めた画像処理条件に従って前記画像データを画像処理し、プリントするプリンタにおいて、撮影条件の設定値と実測値との差分に応じた画像処理条件の補正データが格納された補正データ記憶手段と、プリントする画像データに撮影条件の設定値データと、撮影条件の設定値と実測値との差分データとが付加されている場合に、その差分データと前記補正データ記憶手段に格納された補正データとに基づいて画像処理条件を補正する補正手段と、を備えたことを特徴とするプリンタを提供する。
【００１７】
本発明によれば、プリントする画像データに撮影条件の設定値データと、撮影条件の設定値と実測値との差分データとが付加されている場合、その撮影条件の設定データと差分データに応じて画像処理条件が補正され、補正された画像処理条件に従ってプリントする画像データが画像処理される。これにより、撮影条件の設定値と実測値との間にズレが生じている場合であっても、プリントの画質を安定させることができる。
【００１８】
また、請求項７に係る発明は、前記目的を達成するために、前記撮影条件は、絞り値とシャッタースピードであることを特徴とする請求項５又は６に記載のプリンタを提供する。
【００１９】
本発明によれば、絞り値とシャッタースピード（露出値）の設定値と実測値の差分に応じて設定された画像処理条件が補正され、その補正された画像処理条件に従って画像データが画像処理され、プリントされる。
【００２０】
また、請求項８に係る発明は、前記目的を達成するために、プリントする画像データに付加された撮影条件の設定値データを解析して、最適なプリントを得るための画像処理条件を求め、求めた画像処理条件に従って前記画像データを画像処理し、プリントするプリンタにおいて、基準光量との差分に応じた画像処理条件の補正データが格納された補正データ記憶手段と、プリントする画像データに基準光量との差分データが付加されている場合に、その基準光量との差分データと前記補正データ記憶手段に格納された補正データとに基づいて画像処理条件を補正する補正手段と、を備えたことを特徴とするプリンタを提供する。
【００２１】
本発明によれば、プリントする画像データに基準光量との差分データが付加されている場合、その差分データに応じて画像処理条件が補正され、補正された画像処理条件に従ってプリントする画像データが画像処理される。これにより、撮影条件の設定値と実測値との間にズレが生じている場合であっても、プリントの画質を安定させることができる。
【００２２】
また、請求項９に係る発明は、前記目的を達成するために、設定された撮影条件に従って画像を撮像し、得られた画像データを記憶メディアに記録するデジタルカメラと、前記記憶メディアに格納された画像データを読み出し、該画像データに付加された撮影条件の設定値データを解析して、最適なプリントを得るための画像処理条件を求め、求めた画像処理条件に従って前記画像データを画像処理し、プリントするプリンタにおいて、前記デジタルカメラは、実際の撮影条件を測定する測定手段と、撮影により得られた画像データに前記撮影条件の設定値データと実測値データとを付加して前記記憶メディアに記録する記録制御手段と、を備え、前記プリンタは、プリントする画像データに付加されている撮影条件の設定値データと実測値データとに基づいて撮影条件の設定値と実測値との差分を算出する差分演算手段と、撮影条件の設定値と実測値との差分に応じた画像処理条件の補正データが格納された補正データ記憶手段と、前記差分演算手段で算出された差分と前記補正データ記憶手段に格納された補正データとに基づいて画像処理条件を補正する補正手段と、を備えたことを特徴とするプリントシステムを提供する。
【００２３】
本発明によれば、デジタルカメラで撮影すると、その撮影により得られた画像データに撮影条件の設定値データと実測値データとが付加されて記憶メディアに記録される。また、画像データをプリントする際には、その画像データに付加された撮影条件の設定値データと実測値データとが読み出され、その差分に応じて設定された画像処理条件が補正される。そして、その補正された画像処理条件に従ってプリントする画像データが画像処理され、プリントされる。
【００２４】
また、請求項１０に係る発明は、前記目的を達成するために、設定された撮影条件に従って画像を撮像し、得られた画像データを記憶メディアに記録するデジタルカメラと、前記記憶メディアに格納された画像データを読み出し、該画像データに付加された撮影条件の設定値データを解析して、最適なプリントを得るための画像処理条件を求め、求めた画像処理条件に従って前記画像データを画像処理し、プリントするプリンタにおいて、前記デジタルカメラは、実際の撮影条件を測定する測定手段と、設定された撮影条件と前記測定手段で測定された実際の撮影条件との差分を算出する差分演算手段と、撮影により得られた画像データに前記撮影条件の設定値データと前記差分演算手段で算出された差分データとを付加して前記記憶メディアに記録する記録制御手段と、を備え、前記プリンタは、基準光量との差分に応じた画像処理条件の補正データが格納された補正データ記憶手段と、プリントする画像データに付加された差分データと前記補正データ記憶手段に格納された補正データとに基づいて画像処理条件を補正する補正手段と、を備えたことを特徴とするプリントシステムを提供する。
【００２５】
本発明によれば、デジタルカメラで撮影すると、その撮影により得られた画像データに撮影条件の設定値データと、撮影条件の設定値と実測値との差分データとが付加されて記憶メディアに記録される。また、画像データをプリントする際には、その画像データに付加された撮影条件の設定値データと、設定値と実測値との差分データとが読み出され、差分に応じて画像処理条件が補正される。そして、その補正された画像処理条件に従ってプリントする画像データが画像処理され、プリントされる。
【００２６】
また、請求項１１に係る発明は、前記目的を達成するために、前記撮影条件は、絞り値とシャッタースピードであることを特徴とする請求項９又は１０に記載のプリントシステムを提供する。
【００２７】
本発明によれば、デジタルカメラで撮影された画像データに絞り値とシャッタースピードの設定値データと実測値データとが付加される。そして、プリント時には、その絞り値とシャッタースピード（露出値）の設定値と実測値の差分に応じて設定された画像処理条件が補正され、その補正された画像処理条件に従って画像データが画像処理されて、プリントされる。
【００２８】
また、請求項１２に係る発明は、前記目的を達成するために、画像を撮像素子で撮像し、得られた画像データを記憶メディアに記録するデジタルカメラと、前記記憶メディアに格納された画像データを読み出し、該画像データに付加された撮影条件の設定値データを解析して、最適なプリントを得るための画像処理条件を求め、求めた画像処理条件に従って前記画像データを画像処理し、プリントするプリンタにおいて、前記デジタルカメラは、前記撮像素子の受光と時間が等価である位置に設置された受光素子と、撮影によって前記受光素子で受光された光量を検出する検出手段と、撮影によって前記検出手段で検出された光量と、あらかじめ設定された基準光量との差分を算出する演算手段と、撮影により得られた画像データに前記演算手段で算出された差分データを付加して前記記憶メディアに記録する記録制御手段と、を備え、前記プリンタは、基準光量との差分に応じた画像処理条件の補正データが格納された補正データ記憶手段と、プリントする画像データに基準光量との差分データが付加されている場合に、その基準光量との差分データと前記補正データ記憶手段に格納された補正データとに基づいて画像処理条件を補正する補正手段と、を備えたことを特徴とするプリントシステムを提供する。
【００２９】
本発明によれば、デジタルカメラで撮影すると、その撮影により得られた画像データに撮影条件の設定値データと、基準光量との差分データとが付加されて記憶メディアに記録される。また、画像データをプリントする際には、その画像データに付加された撮影条件の設定値データと、基準光量との差分データとが読み出され、差分に応じて画像処理条件が補正される。そして、その補正された画像処理条件に従ってプリントする画像データが画像処理され、プリントされる。
【発明の効果】
【００３０】
本発明に係るデジタルカメラ、プリンタ及びプリントシステムによれば、安定した画質のプリントを得ることができる。
【発明を実施するための最良の形態】
【００３１】
以下、添付図面に従って本発明に係るデジタルカメラ、プリンタ及びプリントシステムを実施するための最良の形態について説明する。
【００３２】
図１は、本発明に係るプリントシステムの構成を示す概略図である。同図に示すように、本実施の形態のプリントシステムは、デジタルカメラ１０と、そのデジタルカメラ１０で撮影した画像をプリントするプリンタ１００とで構成されている。
【００３３】
まず、デジタルカメラの構成について説明する。図２、図３は、それぞれデジタルカメラの正面斜視図と背面斜視図である。図２に示すように、カメラボディ１２の正面には、撮影レンズ１４、ファインダ窓１６、ストロボ１８、マイク２０等が設けられており、上面には、シャッターボタン２２、電源／モードスイッチ２４、モードダイヤル２６等が設けられている。
【００３４】
また、図３に示すように、カメラボディ１２の背面には、ファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、片側の側面には、ＵＳＢ端子４４、電源端子４６、ＡＶ出力端子４８が設けられている。
【００３５】
また、図示しないカメラボディ１２の底面には、開閉自在なカバーを介してバッテリーを収納するためのバッテリー収納室と、メモリカードを装填するためのメモリカードスロットとが設けられている。
【００３６】
シャッターボタン２２は、いわゆる「半押し」と「全押し」とからなる２段ストローク式のスイッチで構成されている。デジタルカメラ１０は、このシャッターボタン２２を半押しすることにより、ＡＥ（Automatic Exposure：自動露出）、ＡＦ（Auto Focus：自動合焦）、ＡＷＢ（Automatic White Balance ：自動ホワイトバランス）が機能し、全押しすることにより撮影が行われる。
【００３７】
電源／モードスイッチ２４は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２４を「再生位置」又は「撮影位置」に合わせることにより、電源がＯＮになり、「ＯＦＦ位置」に合わせることにより、電源がＯＦＦになる。そして、電源／モードスイッチ２４を「再生位置」に合わせることにより「再生モード」に設定され、「撮影位置」に合わせることにより「撮影モード」に設定される。
【００３８】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００３９】
液晶モニタ３０は、カラー表示が可能な液晶ディスプレイで構成されている。この液晶モニタ３０は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００４０】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００４１】
十字ボタン３４は、上下左右４方向に押圧操作することができるようにされており、各方向の指示を入力するボタンとして機能する。
【００４２】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００４３】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００４４】
図４は、デジタルカメラ１０の電気的構成を示すブロック図である。同図に示すように、デジタルカメラ１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、光学ユニット１２６、フォーカスモータドライバ１２８、ズームモータドライバ１３０、シャッタモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＵＳＢインターフェース１５２、ＬＣＤ／ビデオエンコーダ１５４、ＯＳＤ回路１５６、ＡＥ／ＡＷＢ検出回路１５８、ＡＦ検出回路１６０、絞り値／シャッタースピード検出センサ１６２及び絞り値／シャッタースピード検出回路１６４等で構成されている。
【００４５】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００４６】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００４７】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００４８】
光学ユニット１２６は、撮影レンズ１４と、絞りを兼用したレンズシャッター５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。
【００４９】
レンズシャッター５０は、図示しないシャッターモータに駆動されることにより、開口量（絞り値）及び開口時間（シャッタースピード）が変化する。ＣＰＵ１１０は、シャッタモータドライバ１３２を介してシャッターモータの駆動を制御することにより、レンズシャッター５０の絞り値及びシャッタースピードを制御する。
【００５０】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００５１】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００５２】
アナログ処理回路１３８は、撮像素子１３４から順次出力される画像信号を相関二重サンプリング処理するとともに増幅する。
【００５３】
Ａ／Ｄ変換器１４０は、アナログ処理回路１３８から出力されたＲ、Ｇ、Ｂのアナログの画像信号をそれぞれデジタルの画像信号に変換する。
【００５４】
画像入力コントローラ１４２は、所定容量のラインバッファを内蔵し、Ａ／Ｄ変換器１４０から出力された１画像分の画像信号を蓄積して、メモリ１２０に格納する。
【００５５】
画像信号処理回路１４４は、ＣＰＵ１１０からの指令に従って入力されたデジタル画像信号に所要の信号処理を施して画像データを生成する。また、ＣＰＵ１１０からの指令に従って画像のトリミング処理を行う。
【００５６】
圧縮・伸張処理回路１４６は、ＣＰＵ１１０からの指令に従い、入力された画像データに圧縮処理を施し、所定フォーマットの圧縮画像データを生成する。また、入力された圧縮画像データに伸張処理を施し、非圧縮のデジタル画像データを生成する。
【００５７】
メディアコントローラ１４８は、ＣＰＵ１１０からの指令に従い、メディアスロットに装填された記憶メディア（メモリカード）１５０に対してデータの読み出し及び書き込みを制御する。
【００５８】
ＵＳＢインターフェース１５２は、ＣＰＵ１１０からの指令に従い、ＵＳＢ端子４４を介して接続された外部機器（ここでは、プリンタ２００）との間でＵＳＢ規格に従ったデータ通信を行う。
【００５９】
ＬＣＤ／ビデオエンコーダ１５４は、ＣＰＵ１１０からの指令に従い、画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、ＡＶ出力端子４８に出力する。
【００６０】
ＯＳＤ（On Screen Display ）回路１５６は、ＣＰＵ１１０からの指令に従って、液晶モニタ等の画面上に表示する文字や図形を示す信号をＬＣＤ／ビデオエンコーダ１５４に出力する。
【００６１】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００６２】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００６３】
絞り値／シャッタースピード検出センサ１６２は、高速型フォトダイオードで構成されており、撮像素子１３４の受光と時間が等価である位置に設置されている。
【００６４】
絞り値／シャッタースピード検出回路１６４は、この絞り値／シャッタースピード検出センサ１６２の出力に基づいて実際の絞り値及びシャッタースピードを検出する。すなわち、絞り値／シャッタースピード検出センサ１６２の受光時間（センサの出力時間）を検出することにより、実際のシャッタースピードを検出する。また、絞り値／シャッタースピード検出センサ１６２の受光量（センサ出力の積算値）を検出し、基準となる受光量（設定された絞り値・シャッタースピードの時に絞り値／シャッタースピード検出センサ１６２で受光されるべき光量）との差分を求めて、実際の絞り値を換算する。そして、検出した実際のシャッタースピード・絞り値の情報をＣＰＵ１１０に出力する。
【００６５】
次に、プリンタ２００の構成について説明する。
【００６６】
このプリンタ２００は、カラー感熱記録紙を用いた感熱方式のプリンタであり、図１に示すように、その前面にはメモリカード１５０を装填するためのカードスロット２１０と、プリント排出口２１２とが設けられている。また、上面には、液晶モニタ２１４、操作パネル２１６、トップカバー２１８が設けられている。トップカバー２１８は開閉自在に設けられており、このトップカバー２１８の内側にロール状に巻かれた感熱記録紙がセットされる。
【００６７】
図５は、プリンタ２００の電気的構成を示すブロック図である。同図に示すように、プリンタ２００は、主としてシステムコントローラ２２０、メモリインターフェース（メモリＩ／Ｆ）２２２、画像解析部２２４、画像処理部２２６、内蔵メモリ２２８、表示部２３０、プリント部２３２で構成されている。
【００６８】
システムコントローラ２２０は、プリンタ２００の全体の動作を統括制御する制御部として機能し、操作パネル２１６からの入力に基づき所定の制御プログラムに従ってプリンタ２００の各部を制御する。
【００６９】
メモリＩ／Ｆ２２２は、システムコントローラ２２０の制御の下、カードスロット２１０に装填されたメモリカード１５０にアクセスして、メモリカード１５０からプリント対象とする画像ファイルを読み出す。
【００７０】
画像解析部２２４は、メモリカード１５０から読み出された画像ファイルについて、画像データと、その付属情報を適宜読み込み、プリントを最適化するための画像処理条件を算出する。
【００７１】
補正部２２５は、画像解析部２２４で求めた画像処理条件を必要に応じて適宜補正する。なお、この点については、後に詳述する。
【００７２】
画像処理部２２６は、補正部２２５で補正された画像処理条件に従ってプリント対象とする画像データを画像処理する。
【００７３】
内蔵メモリ２２８は、画像処理部２２６で画像処理された画像データをプリントデータとして格納する。
【００７４】
表示部２３０は、システムコントローラ２２０の制御の下、メモリカード１５０から読み出した画像ファイルから液晶モニタ２１４に表示するための信号を生成して、液晶モニタ２１４に出力する。また、液晶モニタ２１４に所定の操作メニュー等を表示させるための信号を生成して、液晶モニタ２１４に出力する。
【００７５】
プリント部２３２は、ヘッドドライバ２３４とプリンタヘッド２３６有し、ヘッドドライバ２３４は、内蔵メモリ２２８に書き込まれたプリントデータに応じてプリンタヘッド２３４を駆動して、記録紙に画像をプリントする。画像のプリントが終わった記録紙は、写真プリントとしてプリント排出口２１２から排出される。
【００７６】
次に、前記のごとく構成された本実施の形態のプリントシステムの作用について説明する。
【００７７】
まず、デジタルカメラ１０の撮影時における処理動作について説明する。
【００７８】
電源／モードスイッチ２４を「撮影位置」に合わせ、カメラのモードを撮影モードに設定すると、ＣＰＵ１１０は、デジタルカメラ１０の各部を制御して、デジタルカメラ１０を撮影スタンバイ状態にする。撮影者は、この状態で構図を決定し、シャッターボタン２２を半押しする。
【００７９】
シャッターボタン２２が半押しされると、ＣＰＵ１１０にＳ１ＯＮ信号が入力され、このＳ１ＯＮ信号の入力に応動して、ＣＰＵ１１０は、ＡＥ、ＡＦ、ＡＷＢの処理を実行する。
【００８０】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００８１】
ＡＥ／ＡＷＢ検出回路１５８は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００８２】
また、ＡＦ検出回路１６０は、入力された画像信号からＡＦ制御に必要な物理量を算出し、ＣＰＵ１１０に出力する。ＣＰＵ１１０は、このＡＦ検出回路１６０からの出力に基づきフォーカスモータドライバ１２８の駆動を制御し、フォーカスレンズ１４Ｆの移動を制御して、撮影レンズ１４のピントを主要被写体に合わせる。
【００８３】
構図が決定し、主要被写体にピントが合わせられたら、撮影者はシャッターボタン２２を全押し、デジタルカメラ１０に撮影指示を入力する。
【００８４】
シャッターボタン２２が全押しされると、ＣＰＵ１１０にＳ２ＯＮ信号が入力され、このＳ２ＯＮ信号の入力に応動して、ＣＰＵ１１０は画像の記録処理を実行する。
【００８５】
まず、上記のＡＥ処理で求めた絞り値、シャッタースピードでレンズシャッター５０を駆動して撮像素子１３４を露光し、記録用の画像信号の取り込みを行う。
【００８６】
なお、この撮像素子１３４が露光されると、同時に絞り値／シャッタースピード検出センサ１６２も露光されるので、この絞り値／シャッタースピード検出センサ１６２からの出力に基づいて絞り値／シャッタースピード検出回路１６４で実際の絞り値／シャッタースピードを検出する。
【００８７】
撮像素子１３４から出力された画像信号は、アナログ処理回路１３８、Ａ／Ｄ変換器１４０を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換される。生成された画像データは、一旦、メモリ１２０に格納され、圧縮・伸張処理回路１４６に加えられる。圧縮・伸張処理回路１４６は、画像データを所定の圧縮フォーマット（ここでは、ＪＰＥＧ）に従って圧縮し、圧縮された画像データは、再度、メモリ１２０に格納される。
【００８８】
ＣＰＵ１１０は、メモリ１２０に格納された圧縮画像データに所定の付属情報を付加した画像ファイルを生成し、生成した画像ファイルをメディアコントローラ１４８を介してメモリカード１５０に記録する。
【００８９】
図６は、メモリカード１５０に記録される画像ファイルのファイル構造を示している。同図に示すように、画像データは、Ｅｘｉｆ形式に従った画像ファイルとしてメモリカード１５０に記録される。
【００９０】
Ｅｘｉｆ形式の画像ファイルは、図６に示すように、付属情報を画像ファイルヘッダ部にタグ形式で記録することができ、付属情報タグには、図７に示すように、バージョンに関する情報や画像データの特性に関する情報、構造に関する情報、ユーザ情報、関連ファイル情報、日時に関する情報、撮影条件に関する情報、ＩＦＤへのポインタに関する情報等の撮影した画像に関する撮影データがタグ形式で記録される。
【００９１】
ここで、撮影条件に関するタグには、図７に別表で示すように、撮影時の露出時間やＦナンバー、露出プログラム、スペクトル感度、ＩＳＯスピードレート、光電変換関数、シャッタスピード（設定値）、絞り値（設定値）、輝度値、露出補正値、レンズ最小Ｆ値、被写体距離、測光方式、光源、フラッシュ、レンズ焦点距離、フラッシュ強度、空間周波数応答、焦点面の幅の解像度、焦点面の高さの解像度、焦点面解像度単位、被写体位置、露出インデックス、センサー方式、ファイルソース、シーンタイプ、ＣＦＡパターン等が記録できるようにされている。
【００９２】
また、ユーザ情報に関するタグであるメーカノートには、メーカが個別の情報を記入することができるようにされており、ユーザコメントには、ユーザがキーワードやコメントを書き込むことができるようにされている。
【００９３】
なお、本実施の形態のデジタルカメラ１０では、メーカーノートタグに絞り値／シャッタースピード検出回路１６４で検出された実際の絞り値（実測値）、シャッタースピード（実測値）の情報が書き込まれるものとする。
【００９４】
上記のようにしてメモリカード１５０に記録された画像ファイルは、デジタルカメラ１０のモードを再生モードにすることにより、液晶モニタ３０上で再生することができる。画像再生時の処理は次のとおりである。
【００９５】
電源／モードスイッチ２４を再生位置に合わせて、カメラのモードを再生モードに設定すると、ＣＰＵ１１０は、メディアコントローラ１４８にコマンドを出力し、記憶メディア１５０に最後に記録された画像ファイルの圧縮画像データを読み出させる。
【００９６】
読み出された圧縮画像データは、圧縮・伸張処理回路１４６に加えられ、伸張処理が施されたのち、ＬＣＤ／ビデオエンコーダ１５４を介してモニタ３０に出力される。これにより、記憶メディア１５０に記録されている画像がモニタ３０に再生表示される。
【００９７】
画像のコマ送りは、十字ボタン３４の左右のキー操作で行なわれ、右キーが操作されると、次のコマ（再生中の画像が最終コマの場合は先頭コマ）が再生され、左キーが操作されると、前のコマ（再生中の画像が先頭コマの場合は最終コマ）が再生される。
【００９８】
次に、プリンタ２００の処理動作について説明する。
【００９９】
まず、ユーザはデジタルカメラ１０から取り出したメモリカード１５０をカードスロット２１０に装填し、プリンタ２００の電源を投入する。
【０１００】
プリンタ２００の電源が投入されると、メモリカード１５０に格納されている画像ファイルの中から先頭の画像ファイル（ファイル名の順に並べた時の先頭の画像ファイル）が読み出され、その画像ファイルが示す画像が液晶モニタ２１４に再生表示される。この液晶モニタ２１４に表示される画像は、操作パネル２１６を操作することにより、コマ送りされる。ユーザは、操作パネル２１６を操作して、プリントする画像を液晶モニタ２１４に表示させ、操作パネル２１６からプリント指示を入力する。
【０１０１】
プリント指示が入力されると、液晶モニタ２１４に表示されている画像の画像ファイルが画像解析部２２４、補正部２２５、画像処理部２２６に入力される。
【０１０２】
画像解析部２２４は、画像ファイルに含まれる画像データと、その付属情報を読み込み、あらかじめ設定されたアルゴリズムに基づく演算を行って最適なプリントを得るための画像処理条件を算出する。
【０１０３】
なお、画像データと、その付属情報を利用して画像処理条件を算出する技術に関しては公知であるので、ここでは、その詳細な説明は省略する。
【０１０４】
また、ここで利用する絞り値及びシャッタースピードは設定値が用いられ、実測値は用いないものとする。
【０１０５】
この画像解析部２２４で求めた画像処理条件は、補正部２２５に加えられる。補正部２２５は、画像ファイルに含まれる付属情報から、絞り値とシャッタースピードの設定値データと実測値データを読み込み、所定の演算式に従って設定された露出値と実際の露出値との差分を算出する。そして、その差分に応じた画像処理条件の補正データをルック・アップ・テーブル（ＬＵＴ）を参照して取得する。なお、このＬＵＴは、あらかじめシミュレーションや実験などによって求めて、補正部２２５が有するＲＯＭに格納しておくものとする。そして、このようにして求めた補正データに従って画像解析部２２４で求めた画像処理条件を補正し、補正した画像処理条件を画像処理部２２６に出力する。
【０１０６】
なお、露出値の差分がゼロの場合、補正は行わず、画像解析部２２４で求めた画像処理条件が、そのまま画像処理部２２６に出力される。
【０１０７】
画像処理部２２６は、補正部２２５から得た画像処理条件に従ってプリント対象とする画像データを画像処理する。この画像処理部２２６で処理された画像データは、プリントデータとして内蔵メモリ２２８に格納される。
【０１０８】
ヘッドドライバ２３４は、この内蔵メモリ２２８に書き込まれたプリントデータに応じてプリンタヘッド２３４を駆動し、記録紙に画像をプリントする。
【０１０９】
画像がプリントされた記録紙は写真プリントとしてプリント排出口２１２から排出され、これにより、プリント処理が完了する。
【０１１０】
以上説明したように、本実施の形態のプリントシステムによれば、撮影時に実際の絞り値とシャッタースピードを計測しておき、その計測された絞り値とシャッタースピードの実測値データに基づいてプリントデータを生成するための画像処理条件を補正するようにしているので、設定された絞り値、シャッタースピードで撮影されていないような場合であっても、プリンタ側でその差分に基づく色ズレや明るさズレなどを修正することができるので、常に安定した画質のプリントを行うことができる。
【０１１１】
また、本実施の形態のプリントシステムでは、撮影条件の設定値データの他に実測値データを有するため、製品出荷段階での機械ばらつき（出荷検査時の使用た節制可否）のマージンを大幅に増やすことができる。たとえば、業務用のアミューズメントシールプリント機に使用するカメラでは、通常の市場品よりも使用環境が限定されるため、本発明の活用により、通常の製品よりも大きなバラツキを有するデジタルカメラでも使用することができるようになり、この結果、製品得率の向上によってコストダウンも図ることができるようになる。
【０１１２】
なお、本実施の形態では、デジタルカメラで実際の撮影条件（絞り値とシャッタースピード）を測定し、その実測値データを撮影された画像データに付加して記憶メディアに記録しているが、実測値データを付加する代わりに撮影された画像データに撮影条件の実測値と設定値との差分データを付加して記憶メディアに記録するようにしてもよい。すなわち、デジタルカメラ側であらかじめ撮影条件の実測値と設定値との差分を算出しておき、その差分データを設定値データと共に撮影された画像データに付加して記憶メディアに記憶する。これにより、プリンタ側で撮影条件の実測値と設定値との差分を算出する必要がなくなり、直接画像データに付加された差分データを利用して画像処理条件の補正を行うことができる。なお、差分データと実測値データの双方を撮影された画像データに付加して記憶メディアに記録するようにしてもよい。
【０１１３】
また、本実施の形態では、複数ある撮影条件のうち絞り値とシャッタースピードのみを実測しているが、他の撮影条件に関しても同様に実測し、設定値とのズレ量（差分）を求めて、画像処理条件の補正に利用するようにしてもよい。
【０１１４】
また、絞り値のみ、あるいはシャッタースピードのみを実測して、画像処理条件の補正に利用するようにしてもよい。
【０１１５】
また、本実施の形態では、絞り値／シャッタースピード検出センサ１６２と絞り値／シャッタースピード検出回路１６４とを用いて実際の絞り値とシャッタースピードを検出しているが、実際の絞り値とシャッタースピードを検出する手段は、これに限定されるものではない。
【０１１６】
次に、本発明に係るプリントシステムの第２の実施の形態について説明する。
【０１１７】
上記実施の形態では、撮影条件の設定値と実測値とのズレ（差分）に基づいて画像処理条件を補正しているが、本実施の形態では、絞り値／シャッタースピード検出センサで受光される光量の基準値と実測値とのズレ（差分）に基づいて画像処理条件を補正する。
【０１１８】
なお、使用するデジタルカメラ及びプリンタの構成は、基本的に上記実施の形態のデジタルカメラ及びプリンタと同じなので、ここではデジタルカメラ及びプリンタで行われる処理の手順についてのみ説明する。
【０１１９】
上記のように、本実施の形態のプリントシステムでは、絞り値／シャッタースピード検出センサ１６２で受光される光量の基準値と実測値とのズレ（差分）に基づいて画像処理条件を補正する。
【０１２０】
デジタルカメラ１０は、特定のモード下（ここでは、「証明写真モード」とする）において、撮影によって絞り値／シャッタースピード検出センサ１６２で受光される光量（絞り値）を絞り値／シャッタースピード検出回路１６４で検出する。そして、検出された光量（絞り値）と、あらかじめ設定された基準値（基準光量＝基準絞り値）との差分を求め、撮影された画像データに付加して記憶メディア１５０に記録する。
【０１２１】
証明写真モードは、たとえばモードダイヤル２６で設定するものとし、このモードダイヤル２６を「証明写真位置」に設定し、電源／モードスイッチ２４を「撮影位置」設定すると、デジタルカメラ１０が証明写真モードに設定されるものとする。
【０１２２】
また、基準光量は、デジタルカメラ１０のモードを証明写真モードに設定した時、最初の撮影によって絞り値／シャッタースピード検出センサ１６２で受光される光量を絞り値／シャッタースピード検出センサ１６２で検出し、これを基準光量とする。検出された基準光量は、ＥＥＰＲＯＭ１１８の所定の記憶領域に格納される。
【０１２３】
ＣＰＵ１１０は、撮影によって絞り値／シャッタースピード検出センサ１６２で検出される光量と、ＥＥＰＲＯＭ１１８に格納された基準光量との差分を算出し、撮影された画像データに付加して記憶メディア１５０に記録する。すなわち、算出した差分データを画像ファイルのメーカーノートタグに記録し、画像データと共に記録する。
【０１２４】
このように、デジタルカメラ１０は、証明写真モードに設定されると、基準光量との差分が求められ、その差分データが撮影された画像データに付加されて記憶メディアに記録される。
【０１２５】
プリンタ２００は、プリントする画像ファイルに基準光量との差分データが付加されている場合、その差分データを利用してプリントデータを生成するための画像処理条件を補正し、プリントを行う。
【０１２６】
すなわち、プリンタ２００の補正部２２５は、プリントする画像ファイルに基準光量との差分データが含まれている場合、その差分データを画像ファイルから読み取り、読み取った差分に応じた画像処理条件の補正データをＬＵＴから取得する。そして、取得した補正データに従って画像処理条件を補正し、補正した画像処理条件を画像処理部２２６に出力する。
【０１２７】
なお、ＬＵＴは、上記実施の形態の場合と同様に、あらかじめシミュレーションや実験などによって求めて、補正部２２５が有するＲＯＭに格納しておくものとする。
【０１２８】
このように、本実施の形態のプリントシステムでは、基準光量との差分を求め、その差分データを利用してプリントデータを生成するための画像処理条件を補正しているので、設定された絞り値、シャッタースピードで撮影されていないような場合であっても、プリンタ側でその差分に基づく色ズレや明るさズレなどを修正することができるので、常に安定した画質のプリントを行うことができる。
【０１２９】
なお、本実施の形態では、証明写真モードに設定した時の第１回目の撮影で得られる絞り値／シャッタースピード検出センサ１６２の受光量を基準光量としているが、基準光量は、あらかじめ設定した値を用いるようにしてもよい。
【０１３０】
また、本実施の形態の証明写真モードは、証明写真装置やアミューズメントシールプリント機などのように、等光量環境下で使用することが好ましい。
【０１３１】
また、上記の実施形態では、デジタルカメラ１０とプリンタ２００とが別体で構成されている場合を例に説明したが、アミューズメントシールプリント機のように、デジタルカメラとプリンタとが一体で構成されている場合にも本発明を適用することができる。
【０１３２】
また、上記の実施形態では、デジタルカメラ１０で撮影した画像データをメモリカード１５０に格納し、このメモリカード１５０からプリンタ２００に画像ファイルを取り込むようにしているが、デジタルカメラの画像ファイルをプリンタ２００に取り込む方法は、これに限定されるものではない。たとえば、デジタルカメラとプリンタとをＵＳＢケーブルで接続して、画像ファイルを転送してもよいし、無線ＬＡＮや赤外線通信などの無線通信手段を用いて、画像ファイルを転送するようにしてもよい。
【０１３３】
また、上記の実施形態では、プリンタに感熱方式のプリンタを用いているが、プリンタのプリント方式は、これに限定されるものではなく、たとえば、インクジェット方式やドットインパクト方式、レーザープリント方式等、他のプリント方式のプリンタを用いてもよい。
【０１３４】
また、上記の実施形態では、デジタルカメラ１０の絞り機構とシャッター機構に両者を兼用したレンズシャッターを用いているが、デジタルカメラで用いる絞り機構とシャッター機構は、これに限定されるものではなく、他の絞り機構とシャッター機構を用いてもよい。たとえば、絞り機構に虹彩絞りを用い、シャッター機構にフォーカルプレーンシャッターを用いてもよい。
【図面の簡単な説明】
【０１３５】
【図１】本発明に係るプリントシステムの構成を示す概略図
【図２】デジタルカメラの一実施形態を示す正面斜視図
【図３】デジタルカメラの一実施形態を示す背面斜視図
【図４】デジタルカメラの電気的構成を示すブロック図
【図５】プリンタの電気的構成を示すブロック図
【図６】画像ファイルのファイル構造を示す図
【図７】画像ファイルのファイル構造を示す図
【符号の説明】
【０１３６】
１０…デジタルカメラ、１２…カメラボディ、１４…撮影レンズ、１６…ファインダ窓、１８…ストロボ、２０…マイク、２２…シャッターボタン、２４…電源／モードスイッチ、２６…モードダイヤル、２８…ファインダ接眼部、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…レンズシャッター、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…タイマ、１２６…光学ユニット、１２８…フォーカスモータドライバ、１３０…ズームモータドライバ、１３２…シャッタモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、１６２…絞り値／シャッタースピード検出センサ、１６４…絞り値／シャッタースピード検出回路、２００…プリンタ、２１０…カードスロット、２１２…プリント排出口、２１４…液晶モニタ、２１６…操作パネル、２１８…トップカバー、２２０…システムコントローラ、２２２…メモリインターフェース（メモリＩ／Ｆ）、２２４…画像解析部、２２６…画像処理部、２２８…内蔵メモリ、２３０…表示部、２３２…プリント部、２３４…ヘッドドライバ、２３６…プリンタヘッド
【図１】
2006054634.tif 000003
【図２】
2006054634.tif 000004
【図３】
2006054634.tif 000005
【図４】
2006054634.tif 000006
【図５】
2006054634.tif 000007
【図６】
2006054634.tif 000008
【図７】
2006054634.tif 000009